(57)【要約】      （修正有）【課題】非常に簡単な構造で床面の平面度を保つことが実現できる床支持構造を提供する。【解決手段】床スラブ面に設置した支持脚によって床パネルを支持する床支持構造である。床パネルを構成するパネル材として主に平面形状が正方形のパネル材４を使用して行列状に配置し、正方形のパネル材を配置できない部位には、長方形状のパネル材５を使用する。隣り合うパネル材の角隅部同士が行、列両方向で隣接しないように正方形の辺の長さの半分ずつ前記行方向でずらして配置する。隣り合うパネル材同士を支える支持脚は両パネル材の縁部中央部位をまたぐように配置する。また行、列方向で端部に位置するパネル材は、その縁部中央部に支持脚を配置して支持する。支持脚での支持位置は行、列方向でそれぞれ一線上に位置する。【選択図】図１
0003176625.tif 000002
【実用新案登録請求の範囲】
【請求項１】
床スラブ面に設置した支持脚によって床パネルを支持する床支持構造であって、
床パネルを構成するパネル材として平面形状が正方形のパネル材を使用し、
該正方形のパネル材を行列状に配置するとともに、該正方形のパネル材を配置できない部位には、該正方形のパネル材を分割した平面形状が長方形状のパネル材を使用して床パネルを構成し、
隣り合うパネル材の角隅部同士が前記行列配置の行、列両方向で隣接しないように前記正方形の辺の長さの半分ずつ前記行方向でずらして配置し、
隣り合うパネル材同士であってこれらパネル材が前記行、列方向で端部に位置しないもの同士は、一方のパネル材の角隅部と他方のパネル材の縁部中央部位をまたぐように支持脚を配置して支持し、
隣り合うパネル材同士であってこれらパネル材が前記行、列方向で端部に位置するもの同士は、両パネル材の角隅部をまたぐように支持脚を配置して支持し、かつ、
前記行、列方向で端部に位置する前記パネル材は、該パネル材の縁部中央部に支持脚を配置して支持し、
これら支持脚での支持位置を、前記行、列方向でそれぞれ一線上に位置させてなることを特徴とする床支持構造。
【請求項２】
請求項１の床支持構造において、前記隣り合うパネル材をまたぐように配置する支持脚は、これらパネル材を下面側から支持する受け部材を備えることを特徴とする床支持構造。
【請求項３】
請求項２の床支持構造において、前記行、列方向で端部に位置する前記パネル材の縁部中央部に配置する支持脚が、前記受け部材を備えないことを特徴とする床支持構造。
【請求項４】
請求項３の床支持構造において、前記行、列方向で端部に位置する前記パネル材は、該パネル材の平面形状の中央部に支持脚を配して支持することを特徴とする床支持構造。
【請求項５】
請求項４の床支持構造において、前記平面形状の中央部に配する支持脚が、前記受け部材を備えないことを特徴とする床支持構造。
【請求項６】
請求項１から５のいずれかの床支持構造において、行方向で隣り合うパネル材の縁の中央部も支持脚で支持し、各パネル材を９本又は６本の支持脚で支持してなることを特徴とする床支持構造。
【考案の詳細な説明】
【技術分野】
【０００１】
本考案は、床支持構造に関する。
【背景技術】
【０００２】
建築物の床の施工には置床工法が多く採用されている。この工法では、部屋や区画の周囲に際根太を壁等に固定し、その後、床スラブ面の所定箇所に支持脚を立設し、この支持脚で床パネルを載置する。支持脚は、床パネルを構成するパネル材の下面を受けて支持するボード受、及びボード受を支持する支持ボルトを有する。この支持ボルトはクッションゴム製の弾性体上に立設固定されることが多い。そして支持脚の設置後、床パネルを際根太及び支持脚上部に載置し、釘等を用いてパネル材を固定し床パネルを構成し、床パネル上にはフローリング材等の床材を敷設して仕上げる。
【０００３】
この置床工法では、際根太は木工業者が施工し、他は床施工業者が施工するのでは作業効率が悪く、施工に時間を要するという問題がある。また壁に際根太を設けてパネル材の縁部を載置するので、床面に加えられた衝撃音が伝搬しやすく、特に階下に対する遮音性に劣る。
【０００４】
また、際根太の剛性が高い一方で、支持脚に掛かる荷重でパネル材が沈んでしまいやすく、タンス等の家具を置くと、床面の平面度が保てずに家具が傾斜しやすい。
【０００５】
本願出願人は、上述の技術的課題を解決するため、裏面に弾性体を設けた高さ調整可能な支持脚を床スラブ面に設置し、これら支持脚によって床パネルを支持する床支持構造であって、部屋又は区画の周辺部に設置する上記支持脚に設けた弾性体の硬度、又は弾性体の厚さを、部屋又は区画の中央寄りに設置される上記支持脚の弾性体の硬度より高硬度とするか、弾性体の厚さを薄くするものとし、硬化後弾性特性を有する弾性接着材を用いて上記支持脚を床スラブ面に固着する構成とした床支持構造を提案した（特許文献１参照）。
【先行技術文献】
【特許文献】
【０００６】
【特許文献１】特開２０００−３３６９０２号公報
【考案の概要】
【考案が解決しようとする課題】
【０００７】
しかし、特許文献１の構造では、部屋又は区画の周辺部に設置する上記支持脚に設けた弾性体の硬度、又は弾性体の厚さを、部屋又は区画の中央寄りに設置される上記支持脚の弾性体の硬度より高硬度とするか、弾性体の厚さを薄くするものとし、硬化後弾性特性を有する弾性接着材を用いて上記支持脚を床スラブ面に固着することを特徴とするため、床支持構造としては、硬度変化等面倒な構造となり、改良が望まれていた。
【０００８】
本考案は、非常に構造的に簡単で上述の従来の問題点を解決できるとともに、際根太の設置も省略可能な床支持構造を提供することを目的とする。
【課題を解決するための手段】
【０００９】
本考案の床支持構造は、床スラブ面に設置した支持脚によって床パネルを支持する床支持構造であって、床パネルを構成するパネル材として平面形状が正方形のパネル材を使用し、該正方形のパネル材を行列状に配置するとともに、該正方形のパネル材を配置できない部位には、該正方形のパネル材を分割した平面形状が長方形状のパネル材を使用して床パネルを構成し、隣り合うパネル材の角隅部同士が前記行列配置の行、列両方向で隣接しないように前記正方形の辺の長さの半分ずつ前記行方向でずらして配置し、隣り合うパネル材同士であってこれらパネル材が前記行、列方向で端部に位置しないもの同士は、一方のパネル材の角隅部と他方のパネル材の縁部中央部位をまたぐように支持脚を配置して支持し、隣り合うパネル材同士であってこれらパネル材が前記行、列方向で端部に位置するもの同士は、両パネル材の角隅部をまたぐように支持脚を配置して支持し、かつ、前記行、列方向で端部に位置する前記パネル材は、該パネル材の縁部中央部に支持脚を配置して支持し、これら支持脚での支持位置を、前記行、列方向でそれぞれ一線上に位置させてなることを特徴とすることを特徴とする。
【考案の効果】
【００１０】
本考案によれば、非常に簡単な構造で床面の平面度を保つことが実現できる。
【図面の簡単な説明】
【００１１】
【図１】本考案に係る床支持構造の実施形態１を示す平面図
【図２】同じく概念的に示す斜視図
【図３】図１に示す実施形態の断面図であり、（Ａ）はＡ−Ａ断面図を、（Ｂ）はＢ−Ｂ断面図
【図４】図１中のＡ部の拡大断面図
【図５】図１中のＢ部の拡大断面図
【図６】図１中のＣ部の拡大断面図
【図７】図１中のＤ部の拡大断面図
【図８】本考案に係る床支持構造の実施形態２を示す平面図
【図９】図８中のＡ部の拡大断面図
【図１０】図８中のＢ部の拡大断面図
【図１１】図８中のＣ部の拡大断面図
【考案を実施するための形態】
【００１２】
以下、本考案に係る床支持構造の実施の形態を図面に基づいて説明する。
＜実施形態１＞
本考案に係る床支持構造では、コンクリート等などからなる床スラブ面１に設置した支持脚（メイン支持脚２及び補助支持脚３）によって床パネルを構成する複数のパネル材４、５支持する構造である。床パネルを構成するパネル材としては、平面形状が正方形のパネル材４を主として使用し、この正方形のパネル材（以下、正方形パネル材という）４を行列状に配置する。また、正方形パネル材４を配置できない部位には、正方形パネル材４を半割にした平面形状が長方形状のパネル材（以下、長方形パネル材）５を使用する。なお、以下では、正方形パネル材４を半割にした長方形パネル材５を使用するものとして説明しているが、半割とは正確に半分に分割したものだけを意味するものではなく、実質的に半分に分割したパネル材、あるいは、正方形パネル材４を敷設できない箇所の形状に合わせて正方形パネル材４を分割したパネル材をも含むものとする。
【００１３】
そして、隣り合うパネル材４又は５の角隅部同士が行列配置の行、列両方向で隣接しないように正方形パネル材４の一辺の長さの半分ずつ正方形パネル材４を行方向でずらして配置する。また、隣り合うパネル材同士であってこれらパネル材が行、列方向で端部に位置しないもの同士は、一方のパネル材の角隅部と他方のパネル材の縁部中央部位をまたぐようにメイン支持脚２を配置して支持する。さらに、隣り合うパネル材同士であってこれらパネル材が行、列方向で端部に位置するもの同士は、両パネル材の角隅部をまたぐようにメイン支持脚２を配置して支持する。そして、行、列方向で端部に位置するパネル材は、パネル材の縁部中央部に補助支持脚３を配置して支持し、支持脚２、３での支持位置を、行、列方向でそれぞれ一線上に位置させて構成している。
【００１４】
図示の例では、図１からよく分かるように、４行３列の区画で床パネルを構成し、第１行目（図１の最も左側）では、３枚の正方形パネル材４を使用し、次の行では上下に長方形パネル材５を、それらの中間に２枚の正方形パネル材を使用している。すなわち、正方形パネル材４の一辺の長さの半分ずつ正方形パネル材４を行方向でずらして配置しているため、１行目で全パネル材に正方形パネル材４を使用すると、２行目では上述のように２枚の正方形パネル材４と２枚の長方形パネル材５とを用いることになる。そして、３行目では１行目と同じく３枚の正方形パネル材４を使用することになる。この繰り返しで一つの区画あるいは部屋の床パネルを構成している。
【００１５】
また、区画や部屋の端部に位置する正方形パネル材４には、端縁の中央部と、パネル材４の平面形状の中央部位置にも補助支持脚３を配置して９本の支持脚を配置して支持している。
【００１６】
また、区画や部屋の端部に位置する長方形パネル材５には、端縁の中央部と、パネル材４の平面形状の中央部位置にも補助支持脚３を配置して９本の支持脚を配置して支持している。
【００１７】
もちろん本考案は図示の実施形態の上述した行、列の数、配置には限定されない。また例えば、本実施形態の床支持構造を採用する部屋、区画等において、例えば柱の存在により長方形パネル材５を使用できないとき等においては、設置すべきスペースに合わせて形状を変えたパネル材を用いれば良いことは勿論である。その場合、できれば上述のような支持脚２、３での支持位置を設定することが望ましいが、それができない場合には適宜の支持位置を設定すればよい。
【００１８】
図中６は例えば間仕切りとして配する木枠で、部屋等の区画の周辺部とする箇所に設けてある。また図中７はコンクリート等で構成した壁、８は壁７に対して設ける際根太固定用木板である。部屋等の区画の周辺部には図示のようにメイン支持脚２や補助支持脚３を設置する。際根太を設置しなくてもよいが、もちろん、必要があれば際根太を設置してもよい。
【００１９】
メイン支持脚２は、図４、図６に示すように、パネル材４、５を受けるために上方を広めに拡開させた正方形の平面形状を有するボード受１０と、円柱状の支持脚１１とからなり、支持脚１１の下面と床スラブ面１の間にゴム製のプレート１２を介在させて配置する。ゴム製のプレート１２は、図４の配置の場合には床スラブ面１に非接着とする。ボード受１０と支持脚１１はいずれも合成樹脂製もしくは木製であることが好ましい。
【００２０】
ボード受１０は、図示の例では逆截頭円錐形状をなすように支持脚１１頂部に取り付け、中心部または周縁部でパネル材４、５にネジ止めするようになっている。なお図示は省略するが、ボード受１０の下部には支持脚１１の上部を挿入（叩きこみ、ねじ込み等による）し、ボード受１０の高さを調節できるようにすることが好ましい。なおボード受け１０の頂部の平面形状は、図示の実施形態のような正方形ではなく、三角形、正方形以外の四角形、さらにそのほかの多角形であってもよく、図示の例には限定されない。
【００２１】
補助支持脚３も、メイン支持脚２とほぼ同様の構成を有するが、ボード受２０はメイン支持脚２のものに比べ、頂面の面積が約半分程度のもので、かつ平面形状は円形としてある。また、支持脚２１はメイン支持脚２の支持脚１１と同一のものでよい。なお、ボード受け２０の頂部の平面形状は、図示の実施形態のような円形ではなく、三角形、正方形、正方形以外の四角形、さらにその他の多角形であってもよく、図示の例には限定されない。
【００２２】
なお、メイン支持脚２や補助支持脚３は、本考案では図示のものには限定されず、種々公知のものでも採用できる。
【００２３】
パネル材４、５は、主にパーティクルボード等のボード材３０と、その上に載置する合板材３１とからなり、施工にあたっては、まずボード材３０をメイン支持脚２のボード受１０、補助支持脚３のボード受２０上に載せ、メイン支持脚２のボード受１０に対しては１本または複数本のタッピンネジ３２等を用いて固定する。ついで、ボード材３０上に合板材３１を載せ、フロア釘３３等をもちいて固定する。図示の実施形態では、補助支持脚３の位置を調節できるように、補助支持脚３はボード材３０と合板材３１の重量で床スラブ面１に押し付けられ、その配置位置を保つようになっている。もちろん、補助支持脚３についても、タッピンネジ等を用いて固定してもよい。なお、本考案は、本実施形態のように床をパーティクルボードと合板材で構成する構造には限定されず、種々の部材を用いた床構造に適用可能である。
【００２４】
図６は、コンクリート等で構成した壁７へのパネル材４、５の配置形態を示している。図示のように、パネル材４、５においては、合板材３１がボード材３０よりも外周側へ若干（例えば１０〜１５ｍｍ）だけ飛び出すように形成してあり（飛び出し部分を３１ａ示してある）、壁７とボード材３０の端部の間にはポリエチレンフォーム等の遮断材（シール材、パッキング材：例えばポリエチレンフォーム等を用い得る）３４を詰め、水、空気、熱などを遮断してあり、合板材３１の前記飛び出し部分が遮断材３４の上に載るようになっている。
【００２５】
また、壁７と合板材３１の端縁の間には、上部を壁７にネジ３５で止めた巾木３６が取り付けてあり、壁７と合板材３１の間に隙間が生じないようにしてある。なお図７は、木枠６に対するパネル材４、５の配置形態を示しているが、これも同じように遮断材３４や巾木３６を用いている。パネル材４、５の端縁部の構成も同様である。また巾木３６を直接に壁７と合板材３１の間に取り付けられないときは巾木３６を固定するための木板等を壁７に取り付けて介在させればよい。
【００２６】
さらに、床スラブ面１の間に介在させるプレート１２ａ、２２ａは、適宜部位、例えば四隅の部分や、外周縁の一部等を、両面テープ等を用いて部分的に床スラブ面１へ固着する。固着には、接着が最も簡便であるが、もちろんその他の方法を採用しても構わない。
【００２７】
再度、図１〜図３に戻って、本実施形態に係る床支持構造の詳細を説明する。ただし遮断材３４や巾木３６の取り付け等の説明は省略する。本実施形態に係る床支持構造は、４行３列の区画で床パネルを構成し、第１行目（図１の最も左側）では、コンクリート等などからなる床スラブ面１に設置した支持脚（メイン支持脚２及び補助支持脚３）によって正方形パネル材４を行列状に配置し、正方形パネル材４を配置できない部位には長方形パネル材５を使用し、隣り合うパネル材４又は５の角隅部同士が行列配置の行、列両方向で隣接しないように正方形パネル材４の一辺の長さの半分ずつ正方形パネル材４を行方向でずらして配置する。また、隣り合うパネル材同士であってこれらパネル材が行、列方向で端部に位置しないもの同士は、一方のパネル材の角隅部と他方のパネル材の縁部中央部位をまたぐようにメイン支持脚２を配置して支持する。さらに、隣り合うパネル材同士であってこれらパネル材が行、列方向で端部に位置するもの同士は、両パネル材の角隅部をまたぐようにメイン支持脚２を配置して支持する。そして、行、列方向で端部に位置するパネル材は、パネル材の縁部中央部に補助支持脚３を配置して支持し、支持脚２、３での支持位置を、行、列方向でそれぞれ一線上に位置させて構成している。
【００２８】
図示の例では、第１行目（図１の最も左側）の上から（以下の説明において、上、下は、図１における上、下を意味する）１枚目の正方形パネル材４では、９箇所を支持してある。具体的には、左上隅、上縁の中央、左縁の中央、及び正方形の面の中央に補助支持脚３を使用して正方形パネル材４の左上隅側を支持し、右縁と下縁とには両角及び中央にメイン支持脚２を使用し、正方形パネル材４の右側部分を支持している。右下隅を支えるメイン支持脚２は右縁、下縁共通となっている。もちろん、上述した左側部分を支持している補助支持脚３などとともに全体を平坦に支持している。
【００２９】
第１行目の上から２枚目、すなわち真ん中の正方形パネル材４も９箇所で支持してあり、上縁は、１枚目の正方形パネルの下縁を支えているメイン支持脚２を共通に用いて支持しており、下縁は後述する上から３枚目、すなわち最下の正方形パネル材４の上縁とメイン支持脚２を共通に用いて支持している。また、右縁の中央は、これも後述する第２列目の第２枚目、第３枚目の正方形パネル材４の図中左側の下角隅、上角隅を支えるメイン支持脚２を共通に用いて支持している。左縁の中央部分と、面の中央部分とは第１行目の上から１枚目の正方形パネル材４と同じく補助支持脚３で支えている。すなわち、１枚目と２枚目の支持パネル材の支持形態が異なるのは、上縁の部分のみである。
【００３０】
そして第１行目の上から３枚目、すなわち最下の正方形パネル材４でも９箇所で支持してあり、上縁は、２枚目の正方形パネル材４の下縁を支えているメイン支持脚２を共通に用いて支持しており、下縁は１枚目の正方形パネル材４の上縁と同様にメイン支持脚２と補助支持脚３とを用いて支持している。また、右縁は、これも第２枚目の正方形パネル材４の右縁と同様に、後述する第２列目の第３枚目、第４枚目の正方形パネル材４、長方形パネル材５の図中左側の縁部を支えるメイン支持脚２を共通に用いて支持している。そして左縁の中央部分と下角隅部、面の中央部分、及び下縁の中央部は１枚目の正方形パネル材４の左上隅側と同じく補助支持脚３で支えている。すなわち、１枚目と３枚目の支持パネル材の支持形態は、図の上下方向中央を通る水平線に関して線対称となっている。
【００３１】
第２行目は、１枚目と４枚目の長方形パネル材５と、それらの間に位置する２枚の正方形パネル材４とで構成してある。１枚目のパネル材が長方形パネル材５であるため、１行目の１枚目の正方形パネル材４の右縁の中央部に長方形パネル材５の左下隅が位置し、正方形パネル材４の縁の半分だけ上下方向の位置がずれた配置となっている。
【００３２】
そして第２行目の第１枚目の長方形パネル材５は６箇所で支持してあり、上縁中央、すなわち壁７側の中央部分に補助支持脚３を使用している以外は、第１行目、だい３行目の１枚目のパネルと共通するメイン支持脚２で支持し、下縁は２枚目の正方形パネル材４の上縁を支持するメイン支持脚２で支持している。
【００３３】
２枚目と３枚目の正方形パネル材４は、それぞれ８箇所で支持してあり、すべての支持脚は隣り合う行のパネル材を支持しているメイン支持脚２を共通にして支持している。
【００３４】
４枚目の長方形パネル材５は、１枚目の長方形パネル材５と図の上下方向中央を通る水平線に関して線対称となっており、６箇所で支持してある。
【００３５】
第３行目は、３枚の正方形パネル材４で構成してある。第２行目の１枚目のパネル材が長方形パネル材５であるため、１行目の１枚目の正方形パネル材４の左縁の中央部に長方形パネル材５の右下隅が位置し、正方形パネル材４の縁の半分だけ上下方向の位置がずれた配置となっている。
【００３６】
この１枚目の正方形パネル材４は、上縁の中央部と正方形の面の中央部を補助支持脚３で支えているほかは、７個のメイン支持脚２で支えており、合計９個の支持脚で支持してある。
【００３７】
２枚目の正方形パネル材４は８箇所で支持してあり、すべてメイン支持脚２を使用して支持している。メイン支持脚２は、隣り合う他のパネル材とすべて共用となっている。また３枚目の正方形パネル材４は、１枚目の正方形パネル材４と図の上下方向中央を通る水平線に関して線対称となっている。
【００３８】
第４行目は、第２行目と類似の支持形態となっているが、１枚目と４枚目の長方形パネル材５は区画の角隅部に対応する角隅部を補助支持脚３で支えている。また、２枚目と３枚目の正方形パネル材４は、壁７に沿う右縁の中央部と、パネル面の中央とをそれぞれ補助支持脚３で支えている。
【００３９】
以上により、支持脚２、３での支持位置は、図１からよくわかるように、パネル材を配置する行、列方向で、それぞれ一線上に位置することになる。なお、一線上とはいっても厳密に一本の直線上に位置することを意味するものではなく、一般的に許容される範囲で一本の線の上に位置するものであればよい。
【００４０】
本願考案者等が行った実験では、上述のような構成とすることにより、パネル材の硬度を変える等の面倒な構造とすることなく、床面の平面度を保ちやすい構造を実現できることが判明した。また、従来のように際根太を施工せずに所望の構造的強度を実現できることも判明した。
【００４１】
＜実施形態２＞
図８〜図１１は、本考案に係る床支持構造の実施形態２を示す。本実施形態の平面構成は実施形態１と同様であるが、第１行目の正方形パネル材４、第３行目の１枚目、３枚目の正方形パネル材４、そして第４行目の２枚目、３枚目の正方形パネル材４がそれぞれパネル面中央を補助支持脚３で支えていない点が異なっている。
【００４２】
ただし本実施形態は、図９〜図１１に示すように、パネル材４、５を、ボード材３０と合板材３１の間に制振材４０挟んで構成している点が大きく異なっている。例えばパネル材４、５の全厚さを４５ｍｍとしたとき、一例としては、２５ｍｍ厚のボード材３０、１２ｍｍ厚の合板材、そして８ｍｍ厚の制振材となる。
【００４３】
また、制振材４０はボード材３０と同寸法としてあるため合板材３１が突出して形成する図１０、図１１に示すように、木枠６や壁７にネジ３５で止める巾木４１が合板材３１の飛び出し部分３１ａ直下に生じる空隙に入り込む部分（図には符号４１ａで示してある）を備えている。
【００４４】
本願考案者等が行った実験では、この実施形態２のような構成としても、実施形態１と同様に、パネル材の硬度を変える等の面倒な構造とすることなく、床面の平面度を保ちやすい構造を実現できることが判明した。また、従来のように際根太を施工せずに所望の構造的強度を実現できることも判明した。
【００４５】
なお、上述したいずれの実施形態においても、パネル材４、５の上にフローリング材等を敷設して仕上げることも可能であるが、パネル材４、５の上面をそのまま床面とする構成としてもよい。
【００４６】
また本考案は以上説明した実施形態に限定されるものではなく、多くの変形が本考案の技術的思想内で当分野において通常の知識を有する者により可能である。
【符号の説明】
【００４７】
１        ：床スラブ面
２        ：メイン支持脚
３        ：補助支持脚
４        ：正方形パネル材
５        ：長方形パネル材
６        ：木枠
７        ：壁
１０      ：ボード受
１１      ：支持脚
１２、１２ａ      ：プレート
２０      ：ボード受
２１      ：支持脚
２２      ：プレート
３０      ：ボード材
３１      ：合板材
３１ａ    ：合板材の飛び出し部分
３２      ：タッピンネジ
３３      ：フロア釘
３４      ：遮断材
３５      ：ネジ
３６      ：巾木
４０      ：制振材
４１      ：巾木
【図１】
0003176625.tif 000003
【図２】
0003176625.tif 000004
【図３】
0003176625.tif 000005
【図４】
0003176625.tif 000006
【図５】
0003176625.tif 000007
【図６】
0003176625.tif 000008
【図７】
0003176625.tif 000009
【図８】
0003176625.tif 000010
【図９】
0003176625.tif 000011
【図１０】
0003176625.tif 000012
【図１１】
0003176625.tif 000013